(57)【要約】整髪用の櫛（１０）であり、櫛（１０）が細長の背（１２）と、背（１２）から延びる複数の歯（１６，２０）と、鋏（５０）又はバリカン（４０）と共に使われるガイド手段（３０）とから成る。ガイド手段（３０）は、被術者の髪を梳いたりカットしたりする場合に使用者が櫛と鋏又はバリカンの両方を使うとき、鋏（５０）又はバリカン（４０）が沿ってスライドするガイドとして働く。ガイド手段（３０）は背（１２）長さの一部に沿って延びるレール１０からなり、レールが鋏（５０）又はバリカン（４０）のガイドとして作用する。別の実施例では、ガイド手段（３０）が背（１２）から横方向に延びて、背（１２）の縦軸に対しほぼ横方向の表面から次第に延びる棚状構造を形成する。ガイド手段（３０）は櫛（１０）の背（１２）に、一体形成されているか又は脱着可能に取付可能である。
2013539702.tif 000002
【特許請求の範囲】
【請求項１】
細長の背（１２）と、背（１２）から延びる複数の歯（１６，２０）と、鋏（５０）又はバリカン（４０）と共に使うためのガイド手段（３０）とから成る櫛（１０）。
【請求項２】
ガイド手段（３０）が背（１２）長さの一部に沿って延びるレールから成る、請求項１記載の櫛。
【請求項３】
ガイド手段又はレール（３０）が背（１２）から横方向に延びて、背の縦軸に対し横方向に延びる表面から段階的に延びる棚状構造を形成する、請求項１又は２に記載の櫛。
【請求項４】
ガイド手段、レール又は棚部（３０）の形状が立体的に先細であり、第１端（３２）から第２端（３４）の方へと背（１２）長さの少なくとも一部に沿って延び、背の縦軸に対しほぼ横方向の面から最大幅部（３６）へと延びる、請求項１乃至３のいずれか一項に記載の櫛。
【請求項５】
最大幅部（３６）がガイド手段、レール又は棚部の第１端（３２）よりも第２端（３４）近くに位置決めされる、請求項４に記載の櫛。
【請求項６】
ガイド手段、レール又は棚部（３０）が櫛の背に沿って一体形成される、請求項１乃至５のいずれか一項に記載の櫛。
【請求項７】
ガイド手段、レール又は棚部（３０）が櫛の背に沿って脱着可能に取付可能である、請求項１乃至５のいずれか一項に記載の櫛。  
【請求項８】
中空芯（３８）がガイド手段、レール又は棚部（３０）後方の厚み断面部に設けられる、請求項４乃至７のいずれか一項に記載の櫛。
【請求項９】
ガイド手段、レール又は棚部（３０）の形状は、充分なスペースが提供されて使用者がバリカン（４０）の上向き動作でテーパリングできるように、第２端（３４）で終わっている、請求項１乃至８のいずれか一項に記載の櫛。
【請求項１０】
添付図面に関して且つ添付図面に示した如くここに記述された実施例のいずれかに本質的に従った、櫛。
【発明の詳細な説明】
【技術分野】
【０００１】
本発明は、整髪用の櫛に関する。特に、人の髪を梳かしたりカットしたりするときに一丁の鋏又は一組のバリカン(クリッパー;clipper)と共に用いられる櫛に関する。
【背景技術】
【０００２】
櫛と一丁の鋏、又は櫛と一組のバリカン(以下ではそれぞれ単に「鋏」、「バリカン」と称する)は、髪をカットしたり梳かしたりする時に一緒に用いる別々の道具である。熟練した美容師はそれぞれの手に１つずつ持ちながら２つを一緒に用い、人の髪に対し作業する。しかしながら、それぞれは別々の道具なので、美容師の技能や手先の器用さ以外に、２つの道具、即ち櫛と鋏又は櫛とバリカンを相互作用させるシステムや手段はない。
【発明の概要】
【発明が解決しようとする課題】
【０００３】
「シザーズ・オーバー・コーム」(連続ばさみ;scissors-over-comb)や「クリッパー・オーバー・コーム」(clipper-over-comb)等の重要な技術が伝統的なヘアメイク(hairdressing)や理髪で使われている。これらの技術により美容師/理容師は頭部近くでカットすることができ、ヘアラインに従い、バリカンを単独で用いて通常得られる刈上げよりもソフトな見かけとすることができる。これらの技術の利点は、美容師又は理容師が指で髪をつまみ上げることで可能なよりももっと短い到達至難域(difficult to reach areas)をカットできることである。両技術は習得が困難である。
【０００４】
「シザーズ・オーバー・コーム」技術では、美容師が鋏の下刃又は固定刃を櫛と平行に保持する必要がある。鋏又は櫛いずれかの不正確な位置決め、不正確な動き、鋏の刃を開閉できないこと、のどれ１つがあっても全くぎざぎざで不揃いなヘアカットとなってしまう。「クリッパー・オーバー・コーム」技術では、美容師又は理容師がバリカンを櫛表面上で上へ動かし、櫛歯の間から飛び出た髪をカットする必要がある。美容師又は理容師がこの技術を用いているときに最も頻繁に生じる問題が滑りであり、バリカンが櫛の底端から滑り落ちることにより髪にへこみができ、仕上げたヘアカットにラインが生じてしまう。バリカン又は櫛の不正確な位置決めや動きも不揃いのヘアカットとなってしまう。
【０００５】
本発明の目的は上記の欠点を軽減することである。
【０００６】
「成る」(comprise)という用語が様々な管区(jurisdictions)で排他的若しくは包含的意味合いで使われ得ることを認める。本明細書では、成る(comprise)という用語が包含的意味合いを持ち、直接リストアップした構成要素のみならず他の明示していない構成要素も含み得るものとする。従って、「成る」(comprise)という用語は所与の管区内で出来るだけ広い解釈を持つとすべきであり、「成らされた」(comprised)や「成っている」(comprising)という用語の使用でもこの理論的解釈を用いるべきである。
【課題を解決するための手段】
【０００７】
本発明は、細長の背(spine)と、背から延びる複数の歯と、鋏又はバリカンと共に使うためのガイド手段とから成る櫛を提供する。
【０００８】
好都合なことには、被術者の髪を梳いたりカットしたりする場合に使用者が両方を使うとき、ガイド手段は鋏又はバリカンが沿ってスライドするガイドとして働く。ガイド手段は、「シザーズ・オーバー・コーム」技術、「クリッパー・オーバー・コーム」技術等の伝統的なヘアメイク技術を行うときに使用者の支えを提供する。
【０００９】
好ましくは、ガイド手段は、背長さの少なくとも一部に沿って延びるレールから成り、レールは鋏又はバリカンが沿ってスライドするためのガイドとして働く。これの利点は、使用者が伝統的なヘアメイク技術を行う場合に自信と技能を構築でき、滑り等の問題が生じないことである。
【００１０】
有利なことには、ガイド手段又はレールは背から横方向に延び、背の縦軸に対しほぼ横の面から次第に延びる棚状構造を形成する。好都合なことには、棚部があるためにバリカンはガイド手段又はレールの長さ方向に沿って滑らかな動きでスライドできる。
【００１１】
本発明の一実施例では、棚状構造は立体的にテーパしており、棚部が第１端から第２端の方へと背長さの少なくとも一部に沿って、背の縦軸に対しほぼ横の面から最大幅部へと延びる。本発明の更なる実施例では、最大幅部が、棚部の第１端よりも第２端側に近い。これにより、更に、バリカンが櫛から滑り落ちるのが防がれる。
【００１２】
本発明の一実施例では、ガイド手段、レール又は棚部が櫛構造内に一体形成される。
【００１３】
若しくは、本発明の更なる実施例では、ガイド手段、レール又は棚部が櫛の背に沿って脱着可能に取付可能であって、櫛構造に一体形成されたガイド手段、レール又は棚部と同じ機能を提供する。
【００１４】
本発明の改良櫛は使用者に多くの利点を提供する。改良櫛と共に使う場合、ガイド手段、レール又は棚部がバリカン又は鋏の安定性を高める。特に、使用者が鋏の開閉動作を行うとき、ガイド手段、レール又は棚部が鋏の安定性を保つ。ガイド手段、レール又は棚部が鋏の底部又は固定端を支える一方、鋏の切断用端が自由に動く。髪を通る櫛の動きが髪を通る鋏の動きを引き起こす。髪を通して動かすときに鋏と本発明の改良櫛とが共に動いて相乗効果をもたらし、使用者が流れるような滑らかさでヘアカットすることを可能にする。これにより使用者にはより卓越した、制御、的確さ、スピードが提供される。櫛が髪を通るときのより卓越した的確さにより、ヘアカットでの段々、ライン等の問題がなくなる。バリカン又は鋏の安定性向上には、使用者の疲労等により引起こされ得る手ぶれを打開できるという更なる利点がある。
【００１５】
又、ガイド手段、レール又は棚部は、被術者のヘアライン辺りで櫛に沿ってバリカン又は鋏をガイドする役目を果たす。これの利点は、特に髪の底端又はベースライン辺り、首テーパリング、こめかみライン等の困難な領域で、より卓越した正確性を獲得することである。
【００１６】
加えて、ガイド手段、レール又は棚部は、使用者が鋏やバリカンを櫛上で正しく位置決めする手段をも提供する。このようにして、鋏後部も正しい位置にガイドされる。これには使用者の疲労軽減という追加の利点がある。鋏及びバリカンの両者を正しく位置決めすることにより、これらの技術を行うときに通常起きる使用者の腕の出入り(in and out arm movements)がなくなる。
【００１７】
更に又、本発明は、鋏又はバリカンが櫛上にあって棚部上で垂直に位置決めされている間に逆さの櫛が位置ずれするのを防ぐ助けとなる。又、櫛上のバリカンの傾き過ぎを防ぎ、バリカンが櫛の底部から滑り落ちるのを止める助けともなる。
【００１８】
ガイドとして働く棚部の形状からも特定の利点が生じる。使用者の肘をリラックスした位置にすることができるので、使用者の快適さを向上させる。使用者が肘を持ち上げることなく手首を掃くように動かすことが可能になる。鋏の姿勢がリラックスした自然な位置となるよう櫛端の棚部形状が仕上げられている。櫛の方へとテーパもしていて、鋏又はバリカンと共に梳るときの滑らかな相乗作用を助長する。
【００１９】
加えて、棚部の第１端及び第２端が、被術者のベースラインや首テーパリング(neck tapering)用にバリカンが振り子アクションの上向き動作でテーパリングするための充分なスペースを与えるよう仕上げられており、被術者のこの域辺りで作業するときに被術者の耳と鋏又はバリカンとの間の保護も与える。棚部は、被術者のヘアライン及びこめかみライン辺りをテーパリングダウンするときに特別なガイドとなると共に被術者の前部ヘアラインを揃える又は刈り込むときのガイドを提供する。
【００２０】
本発明の一実施例では、中空芯がガイド手段後方の断面厚み部に設けられる。中空芯の利点は、櫛を耳の保護に使う場合に被術者の快適さを向上させることである。
【００２１】
更に又、櫛が、鋏の上下動を止め、鋏又はバリカンの内側へと外側への動きを最小にする。櫛は、シザーズ・オーバー・コーム手順を行っている使用者の拇指アクションを向上させる助けともなる。
【００２２】
好ましくは、櫛は当業者に公知の一群の高分子化合物から選択される適宜材料から形成され、それにより本発明の櫛に、剛性、耐熱・耐化学性、適宜の重さ及びコストパフォーマンス等の本発明の機能性に必要な適宜の性能特性が与えられる。適宜な高分子化合物の一例は、ポリオキシメチレン(POM)である。斯かる化合物の更なる例はポリプロピレン(PP)である。本発明の更なる実施例では、高分子化合物を適宜の共重合体と組み合わせることにより、当業者によって決められたように一旦形成された櫛の所要特性を向上させる。理想的には、櫛が高度の滑らかさを持つ表面を持つよう仕上げられ、鋏又はバリカンがガイド手段上をスライドすることを可能にする。
【図面の簡単な説明】
【００２３】
【図１】第１側の上方から見た櫛の斜視図である。
【図２】櫛の片側の立面図である。
【図３】櫛を上から見た平面図である。
【図４】櫛の他側の立面図である。
【図５】櫛の端面図である。
【図６】図２のＡ−Ａ線に沿った拡大断面図である。
【図７】被術者に対しバリカンと共に用いられる櫛の斜視図である。
【図８】被術者に対しバリカンと共に用いられる櫛の斜視図である。
【図９】鋏と共に用いられる櫛の斜視図である。
【図１０】鋏と共に用いられる櫛の斜視図である。
【図１１】鋏と共に用いられる櫛の斜視図である。
【発明を実施するための形態】
【００２４】
以下、本発明を添付図面に関しより詳細に記述し、本発明による櫛の一実施例を単に例示として示す。
【００２５】
最初に図面の図１〜図６に関して、背１２と、第１組の歯１６と第２組の歯２０から成る本発明の櫛１０を示す。
【００２６】
背１２から第１組の歯１６の上方へと延びているのが横棚部３０の形をしたガイド手段であり、第１端３２から第２端３４の方へと立体的にテーパしており、最大幅部３６は第１端３２よりも第２端３４側に近い。ガイド手段又は横棚部３０は、図７〜図１１に示すように被術者の髪を梳いたりカットしたりする場合に使用者が両者を共に使う際に鋏又はバリカンが沿ってスライドするガイドとして働く。使用者が「シザーズ・オーバー・コーム」や「クリッパー・オーバー・コーム」等の伝統的なヘアメイク技術を行うとき、鋏やバリカンはガイド手段又は横棚部３０により支えられる。特定の利点は棚部３０の形状からも得られる。使用者の肘をリラックスした位置とすることができて、使用者の快適さが向上する。使用者の肘を挙げることなく使用者の手首を掃くように動作させることができる。棚部の形状は櫛の第２端３４で終わっているので、鋏の姿勢がリラックスし自然な位置となる。櫛へとテーパもしているので、鋏又はバリカンと共にくしけずるときに滑らかな相互作用を助長する。
【００２７】
横棚部３０は櫛１０構造内に一体形成され、横棚部３０が背１２内に形成される。図６に示すように、中空芯３８が棚部３０後方の断面厚み部に設けられる。中空芯３８の利点は、櫛１０を耳の保護に使う場合に被術者の快適性を向上させることである。
【００２８】
図面には示されていない代替の構成では、棚部３０が標準的な櫛に脱着可能に取付可能であって、棚部を一体形成した櫛と同じ機能を提供する。棚部３０が櫛へと挟み留められ、若しくは他の同様な仕方で脱着可能に取付けられ、櫛との積極的な係合を提供する。
【００２９】
本発明の櫛１０は当業者に公知の一群の高分子化合物から選択される適宜材料から形成され、そのことにより本発明の櫛に、剛性、耐熱・耐化学性、適宜の重さ及びコストパフォーマンス等の本発明の機能性に必要な適宜の性能特性が与えられる。適宜の高分子化合物の例はポリオキシメチレン(POM)又はポリプロピレン(PP)である。本発明の更なる実施例では、高分子化合物を適宜の共重合体と組み合わせることにより、当業者によって決められたように一旦形成された櫛１０の所要特性を向上させる。櫛は高度に滑らかな表面に仕上げられ、鋏又はバリカンが棚部３０上をスライドするのを可能にする。
【００３０】
櫛を用いることにより本明細書の最初の方で概括した利点を提供できる。
【００３１】
図７に関し、櫛１０と共に使われるバリカン４０は水平方向に動かされるときに棚部３０に支えられ、動作に滑らかさが加えられる。図８に示した図は使用者が被術者のヘアラインを先細にしているときに櫛１０が提供する保護のレベルを示し、それは被術者の耳、こめかみライン及びもみあげ辺りを整髪するときにも使用者を助ける。ガイド手段又は棚部３０により、櫛１０と共に使われるバリカン４０の安定性が向上する。棚部３０の第１端３２及び第２端３４は、被術者のベースラインや首テーパリング用にバリカン４０を用いた振り子状アクションで上向き動作する際にテーパリングする充分なスペースを与えるように終わっている。
【００３２】
図９、図１０及び図１１に関し、鋏５０と共に使われる本発明の櫛１０の様々な図が示されている。櫛１０の棚部３０は使用者の最初の３指で保持された鋏５０の底部又は固定刃５２を支えるのに用いられ、他方、拇指は鋏５０を開閉できるので、ハンドアクションの動きを最小限にした、より安定・より正確なカットとなる。使用者が髪を通すにつれて鋏５０と本発明の櫛１０が相乗効果で協働するので、使用者は流れるような滑らかさで髪をカットすることができる。図１０及び図１１は「シザーズ・オーバー・コーム」支持を行う行為を示しており、櫛を反転させることへの強い抵抗も示している。
【００３３】
本発明がここに記述され、単に例示として与えられた具体的な詳細に限定されないこと、及び本発明の範囲を逸脱することなく種々の修飾・改変が可能であることを理解すべきである。
【図１】
2013539702.tif 000003
【図２】
2013539702.tif 000004
【図３】
2013539702.tif 000005
【図４】
2013539702.tif 000006
【図５】
2013539702.tif 000007
【図６】
2013539702.tif 000008
【図７】
2013539702.tif 000009
【図８】
2013539702.tif 000010
【図９】
2013539702.tif 000011
【図１０】
2013539702.tif 000012
【図１１】
2013539702.tif 000013
【国際調査報告】
2013539702.tif 000014
2013539702.tif 000015